(57)【要約】それぞれの色が加法混色でつくられるように、蛍光顔料を含有する印刷インクを用いる、網版カラー画像の作成が提案される。【特許請求の範囲】
【請求項１】
印刷により基板上に作成された、ラスタ様の態様で配列された少なくとも２種類の、色が相異なる画像ドットを含み、所望の色のそれぞれが前記画像ドットの前記色の混色によりつくられる網版画像において、
前記画像ドットが、電磁波による励起時に特定の色の蛍光を発する顔料を含有する印刷インクで形成されていることを特徴とする網版画像。
【請求項２】
３種類の印刷インクからなる画像ドットが提供され、前記３種類の印刷インクのそれぞれの前記顔料が加法混色に対する３原色（例えば赤、緑及び青紫）の内のそれぞれ１つの色の蛍光を発することを特徴とする請求項１に記載の網版画像。
【請求項３】
前記顔料がＵＶ（紫外線）蛍光顔料であることを特徴とする請求項１または２に記載の網版画像。
【請求項４】
前記画像ドットが黒色背景上に配列されていることを特徴とする請求項１から３のいずれかに記載の網版画像。
【請求項５】
前記顔料の内の少なくとも１つは周波数が相異なる光の影響の下でさまざまな色の蛍光を発することを特徴とする請求項１から４のいずれかに記載の網版画像。
【請求項６】
前記画像ドットの寸法が、肉眼では分解できないように選ばれていることを特徴とする請求項１から５のいずれかに記載の網版画像。
【請求項７】
前記画像の前記寸法が０.３ｍｍより小さく選ばれていることを特徴とする請求項６に記載の網版画像。
【請求項８】
特定の電磁波による励起時に蛍光を発する顔料を含有する印刷インクの蛍光発光画像ドットと、前記特定の電磁波による励起時に蛍光を発しない有色顔料を含有する印刷インクの非蛍光発光画像ドットのそれぞれが、前記基板上に与えられていることを特徴とする請求項１から７のいずれかに記載の網版画像。
【請求項９】
前記蛍光発光画像ドット及び前記非蛍光発光画像ドットのそれぞれが前記基板上に相互に入れ子の関係で与えられていることを特徴とする請求項８に記載の網版画像。
【請求項１０】
前記蛍光発光画像ドットが第１の画像を表し、前記非蛍光発光画像ドットが第２の画像を表すことを特徴とする請求項８または９に記載の網版画像。
【請求項１１】
請求項１から１０のいずれかに記載の網版画像の用法において、前記網版画像を、貴重品、証明書、特に有価証券または債券、銀行券、パスまたは物品のためのセキュリティまたは保証素子として使用することを特徴とする用法。
【請求項１２】
前記網版画像が転写ホイル、特に押箔または熱転写ホイルの化粧層により形成され、前記化粧層が、保全されるべき前記物品上に転写されることを特徴とする請求項１１に記載の用法。
【請求項１３】
前記網版画像を光学効果素子と組み合わせることを特徴とする請求項１１または１２に記載の用法。
【発明の詳細な説明】
【技術分野】
【０００１】
本発明は、ラスタ様の態様で配列された、色の異なる少なくとも２種類の画像ドットからなる、印刷で基板上に作成された網版画像であって、所望の色のそれぞれが画像ドットの色の混色によりつくられる網版画像に関する。
【背景技術】
【０００２】
従来の印刷プロセス、例えば、オフセット印刷、凹版印刷または熱転写印刷で作成される網版カラー印刷の場合には、４原色（一般に、シアン、黄、マゼンタ及び黒）の減法混色により色彩効果がつくられる。この種の網版印刷の場合は、印刷インクの顔料が入射白色光からそれぞれの補色成分を吸収する。白色光の非吸収色成分がそれぞれ反射され、見る人の眼に届き、そこで対応する色彩効果をつくる。したがって、原色のそれぞれは入射光の一部分しか反射しない。そのようにしてつくられた網版画像の明るさは、原色が印刷される背景に依存する。背景が明るいほど、それに対応して明るくなる領域を網版画像につくることが可能である。
【０００３】
対照的に、テレビジョン受像管または映画スクリーン上では、画像は加法混色によりつくられる。この場合は、スクリーンまたはテレビジョン受像管上の事実上全ての点が特定の色で光る小さな光源である。この場合、例えばＴＶ受像管での状況のように、可視スペクトルの全範囲にわたり分布し、眼の対応する色受容体を刺激する、可視スペクトルの完全に特定された３領域、例えば、赤、緑及び青紫が有色光源として選択されれば、写実的な色彩をもつカラー画像をつくることが加法混色により可能である。
【０００４】
加法混色はそれぞれの色で発光する画素の存在が前提であるから、これまで、網版印刷画像に関しては加法混色の利用を控えなければならなかった。
【発明の開示】
【発明が解決しようとする課題】
【０００５】
本発明の課題は、従来の網版画像に対し、高い鮮明度及び現実に近い色彩形成の可能性を特徴とする網版画像を、印刷プロセスにより基板上に作成できる方法を提案することである。
【課題を解決するための手段】
【０００６】
本発明にしたがえば、上記課題を達成するため、電磁波による励起時に特定の色で蛍光を発する顔料を含有する印刷インクで画像ドットが形成されるような、印刷でつくられる網版画像が提案される。この場合、本発明による網版画像は、３種類の印刷インクを含む画像ドットが提供され、相異なる印刷インクの顔料のそれぞれが加法混色に対する３原色（例えば、赤、緑及び青紫）の内のそれぞれ１つで蛍光を発するような態様でつくられれば、個々のそれぞれが相異なる蛍光を発している顔料をもつ画像ドットの対応する組合せにより、可視スペクトルの事実上全ての色がつくられ得るから、好ましい。
【０００７】
したがって、本発明による網版印刷画像は、個々の印刷インクに含有されている顔料が適切な電磁波で励起されて蛍光を発するときにしかそれぞれの色を認識できない点で、従来の通常の網版カラー印刷画像と異なる。しかし、顔料が励起されると直ちに、非常に明るく輝く、高彩色網版画像が得られる。ここで、‘印刷インク’という用語が明らかに最も広い意味で解釈されるべきであること及び基板上に印刷またはラスタ画像をつくるに適する全ての種類のインクまたはラッカーを包含することに注意すべきである。特に、例えばラッカーまたは熱転写昇華層または熱転写印刷フィルムも本発明による‘印刷インク’である。
【０００８】
本発明による網版画像の極めて独特な特徴は、網版画像が適切な電磁波で照射されなければ、所望の色または彩色が見られないことである。この結果は、網版画像の色または彩色が、異なる波長の光で照射されると、例えば可視光照射と紫外光照射の下では、変化することである。例えば、照明効果のために用いられる電磁波のそれぞれの波長または周波数に依存して交互に見えるようになる、相異なるパターンまたは画像を基板上に表すために、上記の効果を利用することが可能である。
【０００９】
蛍光顔料を励起するために、極めて広い範囲の様々なタイプの電磁波を与えることができる。しかし、実際上、ＵＶ（紫外）光の影響の下で蛍光を発する顔料を用いることが一般に望ましいであろう。
【００１０】
本発明にしたがえば、黒色背景上に画像ドットが配列される態様がさらに提供される。この場合、黒色背景は基板によって直接に形成することもできる。しかし、黒色背景を適切な印刷インクで形成することも可能であり、この場合、黒色背景を形成する印刷インクは全表面積にわたって配することもでき、あるいは有色蛍光を発する画像ドットの間の隙間だけに配することもできるであろう。
【００１１】
本発明にしたがえば、印刷インクに用いられる顔料の内の少なくとも１つを、周波数が異なる光の影響の下で相異なる色の蛍光を発するように選ぶと、独特の効果を得ることができる。すなわち、これにより、網版画像を照明するために用いられる光に依存して、顔料がそのときに蛍光として発している色に依存する相異なる結果が得られ、この場合は、照射に用いられる光の周波数に依存する色の変化及びモチーフの変化のいずれをも達成することが可能である。
【００１２】
本発明にしたがって網版画像をつくっている画像ドットの寸法が肉眼では分解され得ないように選ぶことが特に有利であり、これは、本発明にしたがって画像ドットの寸法が０.３ｍｍより小さくなるように選べば、いかようにも達成され得る。この場合、個々の画像ドットから来る有色光ビームが、見る人の視点からは、混合されて、言わば、連続的な、それぞれの色をもつ表面の印象を与える。
【００１３】
本発明のアイデアを発展させて、特定の電磁波により励起されているときに蛍光を発する顔料を含有する印刷インクの蛍光発光画像ドット及び特定の電磁波による励起時に蛍光を発しない有色顔料を含有する印刷インクの非蛍光発光画像ドットをともに基板上に与えれば、例えばセキュリティ目的に極めて有益な特殊効果を得ることができる。この場合、‘蛍光を発しない画像ドット’という用語はそれらの画像ドットの形成に用いられている印刷インクが絶対に蛍光を発しないことを全般的に意味すると解釈されるべきではない。本発明の場合、非蛍光発光画像ドットには、含有される顔料がある電磁波で励起されているときは明らかに蛍光を発するが、蛍光発光画像ドットに蛍光発光させる特定の電磁波で励起されているときは蛍光を発しない、印刷インクからなる画像ドットも含まれ得る。網版画像が上記のように蛍光発光画像ドット及び非蛍光発光画像ドットからなっていれば、照射光に依存して、蛍光発光画像ドットの励起を生じさせる電磁波による照射時には蛍光発光画像ドットが対応して光り、網版カラー画像をつくるが、異なる光で照射されているときには、いわゆる非蛍光発光画像ドットが網版カラー画像をつくるので、それぞれ異なる効果が得られる。そのようにすれば、例えば、ＵＶ光による照射時には蛍光顔料の効果により第１の色彩効果が生じるが、昼光及び昼光程度の少量のＵＶ光で照らされているときには、生じる色彩効果が第１の色彩効果とは異なるようにすることが可能である。
【００１４】
原理的には、蛍光発光画像ドット及び非蛍光発光画像ドットのそれぞれを、基板上のそれぞれだけの領域に設けることが可能である。しかし一般的にいえば、蛍光発光画像ドット及び非蛍光発光画像ドットのそれぞれを相互に入れ子の関係で基板上に設ければ、関与する照明にそれぞれ依存する相異なる効果が、蛍光発光画像ドット及び非蛍光発光画像ドットのいずれをも有する基板上の同じ表面領域上に生じるから、一層適切である。
【００１５】
蛍光発光画像ドットが第１の画像を表し、非蛍光発光画像ドットが第２の画像を表す態様がさらに提供される。例えば、そのようにすれば、複写時には、第１の証明書がシアン、マゼンタ及びイエロー（さらに必要に応じて黒）の混色による通常の網版画像として表されるが、第２の顔写真は、例えば、ＵＶ光の下で蛍光を発する顔料を含有する印刷インクからの加法混色によりつくられる、証明書所持者の顔写真をもつ個人証明書を提供することが可能であろう。そのようにすれば、個人証明書のセキュリティをかなり強化し、同時に簡単な、さらに詳しくは、減法混色によりつくられた証明書所持者の顔写真が、極めて特定の電磁波の照射の下で現れ、蛍光インクからの加法混色でつくられる、顔写真と同じであるか否かをチェックすることだけが必要である故に簡単な、正規性確認方法が得られる。減法混色にかかわる通常の顔料及び加法混色にかかわる蛍光顔料からのそのような画像の作成は、例えば、対応する多くの色を印刷ドットに与えることがまさにできるにちがいない熱転写プリンタを用いて、容易に実施することができる。
【００１６】
本発明による網版画像は極めて多様な目的に用いることができる。しかし本発明の特別な利点及び主題は、貴重品、証明書、特に有価証券または債券、銀行券及びパスのための、あるいは相応の高額品のための、セキュリティまたは保証素子としての、それぞれの網版画像の使用である。例えば、適当な網版印刷を、銀行券、小切手あるいはその他の有価証券または債券に与えることが可能であり、この場合、それぞれの所望の色彩効果は適切な光による照射時にしか生じないであろう。例えば、銀行券等に付されたセキュリティ素子が、銀行券が特定の周波数のＵＶ光で照射されたときにだけ特定の色彩効果を示し、通常光による照射時には、ＵＶ光照明により認識できる実際の網版印刷画像の輪郭線等のない、明るい灰色の揺らぎしか生じない態様を提供することが可能であろう。蛍光顔料が適切に選択され、おそらくは非蛍光顔料が印刷インクにさらに添加されていれば、例えば、通常光で照明されているときには白または灰色に見え、特定の波長の光、特にＵＶ光で照射されているときには蛍光効果が生じる結果として明るい色彩を示す、網版画像をつくることも可能である。この効果（白黒表示と彩色表示の間の変化）は容易に認識できるセキュリティ素子として極めて適している。
【００１７】
上述したように、２つの画像が照明書等の上で複合され、第１の画像は通常の網版カラー画像であり、第２の画像は、特定の波長の光すなわち電磁波で照明されているときの蛍光発光の結果としてのみ、明瞭に認識され得るならば、特定の保全効果を得ることができ、この特定の保全効果は、互いに適切に比較され得る２つの基本的に同等の画像を提供する可能性に見ることができる。
【００１８】
それぞれのセキュリティ素子を貴重品に付すことを容易にするためには、網版画像を転写ホイル、特に押箔または熱転写ホイルの化粧層で形成することが有利であり、化粧層は保全すべき物品上に転写される。網版画像は転写ホイルの構成要素として従来の印刷プロセスを用いて容易に作成することができ、次いで、ラベル様パッチ、ストリップ等の形態で、保全すべき物品上に簡単な態様で転写される。これには、それぞれのセキュリティ素子の使用者がセキュリティ素子をほぼ完成された状態で入手することができ、したがってセキュリティ素子を転写ホイルから保全すべき物品上に転写するには比較的簡単な装置しか必要としないという利点がある。
【００１９】
最後に、本発明にしたがえば、物品のためのセキュリティ素子としてそれぞれの網版画像を用いる場合に、網版画像が視覚効果素子、例えば、回折格子構造、ホログラム、高輝度反射表面、意図的に艶消しにされた領域、あるいは色変化または異なる透明度を生じさせる薄層配置と組み合わされる。
【００２０】
本発明による網版画像は、顔料、ラッカーキャリア物質及び必要な電磁波波長の間の正しい組合せを見いだすのが困難であるから、それだけで既にして困難をともなわずにコピーすることはできない。しかし、原理的に偽造が困難であることが既に知られている光学効果素子がさらに存在すれば、偽造はさらに一層困難になる。これは、本発明による網版カラー画像及び光学効果構造が単一のセキュリティ素子において直に接するかまたは相互に入れ子の関係にあれば、特に当てはまる。この場合、コピー作成を実際上不可能にする製造プロセスが必要となる。さらに、保全及びチェック機能が一層強化される。例えば、同じかまたは相補性のパターンを網版画像及び光学効果素子のそれぞれにより表し、通常の照明によるか、または特定の波長の光による照明をともなう場合の、補助的チェック機能を与えることが可能であろう。この場合、これらのチェック機能は、間違いなく未経験な観察者にも容易に理解され得るような機能であり得る。
【００２１】
上記説明からわかるように、本発明による網版画像は極めて多目的な態様で使用することができる。例えば、大判印刷機で比較的大面積の網版印刷像を本発明による実施形態で作成すれば、例えば広告宣伝における特殊効果のために用いることができる、大面積の、例えばＵＶ蛍光発光印刷物を作成することも可能であろう。例えば、本発明にしたがって作成され、その内容が適切な光、例えばＵＶ光で照射されたときにだけ認識できる、ディスコの広宣プラカード等にして掲げることが可能であろうし、この種の広宣プラカードは、網版カラー画像が実際に得られ、したがって極めて多目的なデザイン選択が可能になるという事実により、ＵＶ光の下で蛍光を発する既知の要素とは異なる。しかし、選択が可能となるにもかかわらず、そのような性質をもつ広宣手段のための作成コストは比較的低い。
【発明を実施するための最良の形態】
【００２２】
以降で、本発明による網版印刷のいくつかの基本的原理及び実施例をさらに詳細に説明する。
【００２３】
網版印刷像が暗い、好ましくは黒色の、背景上に蛍光顔料を含有する印刷インクで印刷され、この場合、適切な光照射により、赤色、緑色及び青色で発光するように顔料が選ばれれば、その特性に関してはＴＶ受像管でつくられる画像に基本的に相当する網版画像をつくることが可能であり、さらに、網版画像の個々の画像ドットは、小さくて、眼では全く個別に分解できないように選ぶべきである。この条件は、通常の書見距離から網版画像を見ている場合に、画像ドットの直径が０.３ｍｍより小さく、好ましくはさらに０.１ｍｍより小さければ、満たされる。さらに、網版画像の画像ドットが、暗い、好ましくは黒色の背景がドット間に全く見えなくなるほど近接して印刷されれば、相異なる性質をもつ網版画像を印刷することができる。通常の昼光による照射時には特定の色で発光しないＵＶ蛍光顔料が用いられるとすれば、普通の昼光照明の下では全くの白黒画像（さらに詳しくは、蛍光顔料の自然色による単色画像）として見える網版画像が得られる。対照的に、網版画像が適切なＵＶ光で照明されれば顔料はそれぞれの色の蛍光を発する。この場合、好ましくは、顔料は加法混色の観点で選ぶべきであり、よって顔料は赤色、緑色及び青色に発光する。したがって、網版画像の、それぞれの個別の色をともなう画像ドットが存在する特定の位置及びそれらの密度に依存して、テレビジョン受像管による状況と同様に、それぞれのカラー画像をつくることが可能であり、加法混色により、黒色ではなく、白色をつくることが明らかに可能であるから、暗いかまたは黒色の背景により暗い画像領域をつくることもできる。
【００２４】
既述したように、少なくとも１つの印刷インクに、１つの波長においてその特性色で蛍光発光するだけでなく、第２の波長で励起することもでき、この場合は第２の色の蛍光発光がおこる顔料を使用すれば、特別な効果を得ることができる。例として、ＵＶ蛍光顔料、さらに詳しくは、波長３６５ｎｍ及び波長２５４ｎｍのそれぞれで蛍光発光する顔料を使用することが可能であろう。
【００２５】
網版画像は、オフセット（デジタルオフセット）印刷または熱転写印刷を用いることが望ましい、通常の印刷プロセスにおいて適切な印刷インクを用いて作成することができる。これらの印刷プロセスを用いることにより、これらの印刷プロセスでは、それぞれの画像に付帯する（一般に、赤色、緑色及び青色成分の形態の）画像情報を直接使用できるという利点がもたらされる。
【００２６】
それぞれの網版画像を作成するための印刷インクにおける様々な顔料の組合せの例を以降で説明する。この場合、例えば以下の顔料：
ＢＦ１１（赤）：        二色蛍光顔料（２５４ｎｍで赤色、３６５ｎｍで青白色）
製造業者：            Specimen Document Security Division, ブダペスト
ＣＤ１２０（赤）：      単色蛍光顔料（１５４ｎｍでオレンジ−レッド、３６５ｎｍで赤色）
製造業者：            Allied Signal Special chemicals Riedel De Haen
ＣＤ１３０（オレンジ   単色蛍光顔料（２５４ｎｍ及び３６５ｎｍで橙色）
−イエロー）：
製造業者：            Allied Signal Special chemicals Riedel De Haen
ＣＤ３９７（黄緑）：    単色蛍光顔料（２５４ｎｍ及び３６５ｎｍで黄緑色）
製造業者：            Allied Signal Special chemicals Riedel De Haen
ＭＦ１（緑）：          単色蛍光顔料（２５４ｎｍ及び３６５ｎｍで緑色）
製造業者：            Specimen Document Security Division, ブダペスト
ＭＦ４０（青）：        単色蛍光顔料（２５４ｎｍ及び３６５ｎｍで青色）
製造業者：            Specimen Document Security Division, ブダペスト
ＭＦ５０（青）：        単色蛍光顔料（１５４ｎｍで淡青色、３６５ｎｍでは非発光）
製造業者：            Specimen Document Security Division, ブダペスト
が用いられる。
【００２７】
適切な顔料を用いてオフセット印刷インクを作成した。それ自体は既知の態様で、１０から４０重量％の間のＵＶ蛍光顔料を酸化乾燥性オフセットワニスと一緒に粉末化して、直ちに使用した。
【００２８】
適切な蛍光顔料を含有するカラー層をもつ、対応する熱転写ホイルを作成する場合には、それぞれの所望の蛍光顔料が添加されているラッカー層で薄いＰＥＴキャリアを被覆する。
【００２９】
以下の網版印刷像は上記の顔料を用いて作成した。
【実施例１】
【００３０】
３６５ｎｍで励起することができる：
ＣＤ１２０    （赤）
ＭＦ１        （緑）
ＭＦ４０      （青）
の赤色−緑色−青色を黒色上に用いた網版印刷。
【００３１】
用いられる３種の顔料の分布を一様にし、したがって蛍光強度を一様にすることにより、波長３６５ｎｍのＵＶ光による照射で、加法混色により、白色が得られる。対照的に、波長２５４ｎｍのＵＶ光で照射すれば、その波長では顔料ＣＤ１２０が赤色ではなく橙色の蛍光を発するから、淡橙色が得られる。
【実施例２】
【００３２】
２５４ｎｍで励起することができる：
ＢＦ１１      （赤）
ＣＤ３９７    （黄緑）
ＭＦ５０      （青）
の黒色上の赤色−緑色−青色の網版印刷。
【００３３】
分布を一様にすることにより、波長２５４ｎｍのＵＶ光による照射時には加法混色の結果として白色が得られるが、波長３６５ｎｍのＵＶ光による照射時には、詳しくは、顔料ＢＦ１１は２５４ｎｍでしか赤色の蛍光を発しないが、対照的に３６５ｎｍでは青白色の蛍光を発するから、緑白色が得られる。このことは、網版画像が波長２５４ｎｍのＵＶ光による照射に対してデザインされている場合に、３色網版印刷像を作成することが可能であるが、３６５ｎｍによる照射時には実施例２の組合せがある種の白黒印刷像にしか適していないことを意味する。
【実施例３】
【００３４】
３６５ｎｍで励起することができる：
ＢＦ１１      （青白）
ＣＤ１３０    （オレンジ−イエロー）
の黒色上の白黒網版印刷像。
【００３５】
個々の顔料を含有している印刷インクに関して分布を一様にして、蛍光強度を一様にすることにより、波長３６５ｎｍのＵＶ光による照射時には白色がつくられるが、波長２５４ｎｍのＵＶ光照射時には赤色がつくられる。これは蛍光顔料ＢＦ１１が用いられているという事実に起因する。したがって、波長３６５ｎｍのＵＶ光による照射時には、実施例３にしたがう網版印刷像は白黒印刷像のように見える（これらの２種の顔料の色は実際上互いに補色であって、白色を与える）が、波長２５４ｎｍのＵＶ光による照射時には黒色背景上に赤色画像が見える。
【００３６】
上述の実施例に示されるように、本発明の基本概念、すなわち蛍光顔料による加法混色を用いた場合には、多数の色彩効果を得ることが可能である。この点に関し、特に波長の異なる光による照射時の色変化が特に顕著であり、この理由のため、容易に検出できるセキュリティのための形徴として特によく適している。本発明にしたがえば、顔料の励起に必要であり、通常の昼光とはかなり異なり得る、特定の電磁波を発生する装置でしか十分な鑑定ができない、機械読取可能なセキュリティ素子を作成することが可能である点も有利である。
【実施例４】
【００３７】
基板上に顔写真の網版画像を作成するため、顔料ＢＦ１１（赤、２５４ｎｍで蛍光発光）、ＭＦ１（緑、２５４ｎｍで蛍光発光）及びＭＦ４０（青、２５４ｎｍで蛍光発光）を用い、個々の画像ドットの間隔を、それらの隙間に別の画像ドットをさらに挿入できるに十分大きく選ぶ。しかし、画像ドットの寸法及び間隔は、約３０ｃｍの通常の視距離では個々の画像ドットを肉眼で分解できないような、寸法及び間隔でなければならない。
【００３８】
寸法が適当に小さいカラー印刷ドットを、顔料ＢＦ１１，ＭＦ１及びＭＦ４０を含有する蛍光発光画像ドットの間の隙間に印刷する。この場合には、これらの印刷ドットは減法混色に対する４原色（一般に、シアン、イエロー、マゼンタ及び黒）の印刷ドットを含む。
【００３９】
上記の様式にしたがって、印刷を６色（黒を用いるときには７色）で実施する場合、ある種の状況の下では、印刷像に重畳またはモアレ形成が全く生じないことを保証するための注意をはらう必要がある。これは、例えば、相異なる表示を、ラスタ数を異ならせて（例えば４８ラスタ及び６０ラスタ）、蛍光発光画像ドット及び通常のカラー印刷ドットのそれぞれにより印刷することで達成できる。あるいは、多くのデジタルプリンタでは現在既に普通であるように、強度変調ラスタの代わりに周波数変調ラスタを用いることも可能であろう。
【００４０】
蛍光顔料による印刷ドット及び通常の印刷インクによる印刷ドットのいずれもが、網版画像を与えるような態様でそれぞれ配列される。この場合、例えば人の顔写真を両方の画像で表すことができる。通常照明、例えば昼光または人工光では減法混色を生じる印刷ドットが人の第１の網版カラー画像を表し、適切な光、例えばＵＶ光による照射時には実質的に同じ画像を再現するように、網版画像を作成するための色の選択がなされる。２つの画像の同一性チェックは、正規性のチェックに適する手段である。
【国際公開パンフレット】
2004535963.tif 000002
2004535963.tif 000003
2004535963.tif 000004
2004535963.tif 000005
2004535963.tif 000006
2004535963.tif 000007
2004535963.tif 000008
2004535963.tif 000009
2004535963.tif 000010
2004535963.tif 000011
2004535963.tif 000012
2004535963.tif 000013
2004535963.tif 000014
2004535963.tif 000015
2004535963.tif 000016
2004535963.tif 000017
2004535963.tif 000018
2004535963.tif 000019
【国際調査報告】
2004535963.tif 000020
2004535963.tif 000021
2004535963.tif 000022
2004535963.tif 000023